(57)【特許請求の範囲】
【請求項１】
圧送される消火剤水溶液の供給管に取り付けられる消火剤水溶液導入部および該導入部先端から水平外方向に放射状に延びる円形の水平部からなるヘッド本体と、該ヘッド本体の水平部外周端縁に取り付けられる椀皿状のデフレクターと、該デフレクターの内側に、一定の間隔を介してこれと同軸状に介在されるところの、中央部に円形の窓を形成したドーナツ状の反射板と、該反射板の円形の窓を貫通して前記デフレクターとの間に低融点物質を介在させて消火剤水溶液導入部出口側開口部に圧接される弁体とからなり、前記ヘッド本体の消火剤水溶液導入部先端付近には周方向に複数の吸気口が形成されているとともに、デフレクターには側面上方から底面にかけて縦方向に連続する細長のスリットを周方向均等間隔毎に多数形成してなることを特徴とした油火災消火用泡ヘッド。
【請求項２】
圧送される消火剤水溶液の供給管に取り付けられる消火剤水溶液導入部および該導入部先端から水平外方向に放射状に延びる円形の水平部からなるヘッド本体と、該ヘッド本体の水平部外周端縁に取り付けられる椀皿状のデフレクターと、該デフレクターの内側に、一定の間隔を介してこれと同軸状に介在されるところの、中央部に円形の窓を形成したドーナツ状の反射板と、該反射板の円形の窓を貫通して前記デフレクターとの間に低融点物質を介在させて上記消火剤水溶液導入部出口側開口部に圧接される弁体とからなり、前記ヘッド本体の消火剤水溶薬液導入部は入側から出側にかけて１〜４度の傾斜角度にてテーパー状に次第に拡開させてなり、しかもヘッド本体の消火剤水溶液導入部先端付近には周方向に複数の吸気口が形成されているとともに、デフレクターには側面上方から底面にかけて縦方向に連続する細長のスリットを周方向均等間隔毎に多数形成してなることを特徴とした油火災消火用泡ヘッド。
【請求項３】
デフレクターの底面中央部寄りの位置には、消火剤水溶液の発泡によるデフレクター内部の圧力上昇を緩和する圧抜き口が窓の周縁に沿って周方向に複数形成されているところの請求項１又は請求項２に記載の油火災消火用泡ヘッド。
【請求項４】
消火剤水溶液導入部には、入側から出側方向に向けて互いに求心方向に向けられた複数の導入路が形成された流向調整ピースが嵌め込まれているところの請求項１〜３に記載の油火災消火用泡ヘッド。
【発明の詳細な説明】
【０００１】
【発明の属する技術分野】
本発明は、屋内駐車場及び危険物施設等に設置される泡消火設備に用いられる泡ヘッドに関し、該泡ヘッドに低融点物質を介在させることにより、火災熱での上記低融点物質の溶解による火災感知と、該溶解に伴う弁開放による泡放射との、両機能を備えることを特徴とするとともに、在来の泡消火設備の簡素化をはかることを目的とする。
【０００２】
【従来の技術】
従来公知の油火災に対する泡消火液放射用泡ヘッドとしては、図６に示したものが一般に知られている。  これは消火剤水溶液が圧送される供給管にねじ込みにより取り付けられるようにしたところの、中央に放出口３を有し、しかもその周縁部に複数の吸気口２を形成した泡ヘッド本体１と、該泡ヘッド本体１の外周端縁に形成されたフランジ４の内側に係合させて取り付けられており、しかも中間部に水平なデフレクター６を有する椀型の起泡網５とからなり、放射側は常時開放されて泡消火剤水溶液が圧送された場合にはそのまま放射するようにした、いわゆる開放型の構造となっている。
【０００３】
したがって泡ヘッド本体１の放出口３から放射された消火剤水溶液がデフレクタ６に衝突して周囲に飛び散るとともに、その消火剤水溶液が吸気口２から取り込んだ空気を巻き込んだ状態のままデフレクター６を取り囲んでいる起泡網５の網目を通過する際に起泡して側面放射方向から斜め下方、および真下に至る水平以下の全方向に、発泡した消火剤水溶液の泡を均一に放射するようになっている。
【０００４】
すなわち、油火災を消火するための泡消火設備においては、水に３〜６％程度の消火薬剤を混合して供給管を通じて泡ヘッドに送り込み、これを泡ヘッドの起泡網部分において起泡させた状態にて放射する必要がある。  しかし油火災消火用泡ヘッドは、発泡機能を備える必要があるところからこれまでのところ図６にも示したような消火液導入口に止水手段を有しない開放型構造のものしか存在しない。  このような開放型構造の泡ヘッドを油火災消火設備に用いる場合には、止水構造付の火災感知ヘッドや、火災を感知した際に消火液を泡ヘッドに向けて圧送するための一斉開放弁などを別途設ける必要があるために泡消火設備全体として複雑でかつ必然的にコスト高となるのを免れないことは後述する通りである。  なおこの場合に木材など一般火災消火用として用いられているところの発泡機能を有しない閉鎖型構造（水導入口に低融点合金を圧接させた止水手段をヘッド自体に有する構造）のものをそのまま油火災消火設備に転用することはできない。  またこの場合に一般火災用の閉鎖型構造の消火ヘッドに発泡機能を付加して油火災消火用の泡ヘッドとすることもいまのところ技術的に容易ではない。  また図６に示した起泡網５を有する泡ヘッドにおいて、本体の消火剤水溶液導入口とデフレクター６を有する椀型の起泡網５との間に低融点合金を介在させた弁を圧接させた、いわゆる閉鎖型構造とするには起泡網５のみではあまりにも耐久強度に乏しく、したがって起泡網５の外側に何らかの補強部材を設ける必要がある。
【０００５】
しかし現実にはそのような補強部材を設けると泡ヘッドの場合においては、補強部材そのものが起泡および泡の放射を部分的に妨げることになり、その結果周辺部に対する起泡した泡の均一な放射が著しく困難になるところから、公知の泡ヘッドにおいては本体の消火剤水溶液導入口とデフレクター６を有する椀型の起泡網５との間に低融点合金を介在させた弁を圧接させた、いわゆる閉鎖型構造とすることがきわめて難しく、必然的に開放型構造にならざるを得なかった。
【０００６】
【発明が解決しようとする課題】
しかしながら、泡消火システムにおいては、泡ヘッドの構造が上記した理由により必然的に開放型の構造とならざるをえないために、泡ヘッドのほかに、火災感知装置を別途設け、また該火災感知装置により開放する一斉開放弁および該一斉開放弁を手動にて開放するための手動起動弁の設置を余儀なくされ、そのために設備構成の複雑化を免れなかった。
【０００７】
【課題を解決するための手段】
そこで本発明にあっては、上記した従来の泡ヘッドの構造を画期的に改良して閉鎖型構造とすることに成功したものであって、これにより火災感知装置や一斉開放弁などの設備を不要とし、しかも起泡した消火剤水溶液泡の放射距離を従来以上に大きくするとともに、在来の油火災消火用泡消火設備における構成を簡素化できるようにしたものである。
【０００８】
すなわち本発明は、具体的には圧送される消火剤水溶液の供給管に取り付けられるところの消火剤水溶液導入部および該導入部先端から水平外方向に放射状に延びる円形の水平部からなるヘッド本体と、該ヘッド本体の水平部外周端縁に取り付けられる椀皿状のデフレクターと、該デフレクターの内側に、一定の間隔を介してこれと同軸状に介在されるところの、中央部に円形の窓を形成したドーナツ状の反射板と、該反射板の円形の窓を貫通して前記デフレクターとの間に低融点物質を介在させて消火剤水溶液導入部出口側開口部に圧接される弁体とからなり、前記ヘッド本体の消火剤水溶液導入部先端付近には周方向に複数の吸気口が形成されているとともに、デフレクターには側面上方から底面にかけて縦方向に連続する細長のスリットを周方向均等間隔毎に多数形成してなることを特徴とした油火災消火用泡ヘッドに関する。
【０００９】
また本発明は、圧送される消火剤水溶液の供給管に取り付けられる消火剤水溶液導入部および該導入部先端から水平外方向に放射状に延びる円形の水平部からなるヘッド本体と、該ヘッド本体の水平部外周端縁に取り付けられる椀皿状のデフレクターと、該デフレクターの内側に、一定の間隔を介してこれと同軸状に介在されるところの、中央部に円形の窓を形成したドーナツ状の反射板と、該反射板の円形の窓を貫通して前記デフレクターとの間に低融点物質を介在させて上記消火剤水溶液導入部出口側開口部に圧接される弁体とからなり、前記ヘッド本体の消火剤水溶液導入部の出口側部分は、出側にかけてテーパー状に拡開させてなり、しかもヘッド本体の消火液導入部先端付近には周方向に複数の吸気口が形成されているとともに、デフレクターには側面上方から底面にかけて縦方向に連続する細長のスリットを周方向均等間隔毎に多数形成してなることを特徴とした油火災消火用泡ヘッドにも関する。
【００１０】
さらに本発明は、上記したデフレクターの底面中央部寄りの位置には、消火剤水溶液の発泡によるデフレクター内部の圧力上昇を緩和する圧抜き口が、窓の周縁に沿って周方向に複数形成されているところの油火災消火用泡ヘッドにも関する。  さらに本発明は、前記した消火剤水溶液導入部には、入側から出側方向に向けて互いに求心方向に向けられた複数の導入路が形成された流向調整ピースが嵌め込まれているところの油火災消火用泡ヘッドにも関する。
【００１１】
上記した構成において、泡放射区域内において火災が発生すると、その熱気流等により低融点合金が溶けて、消火剤水溶液導入部出口側開口部に圧接された弁体が供給管内の消火剤水溶液の加圧圧力により離脱開放され、消火剤水溶液導入部を消火剤水溶液が流れる。  消火剤水溶液は該導入部の入側から出側に向けて互いに求心方向に向けられた複数の導入路を通過して放射される際に、その流向が強制的に求心方向に変えられながら、空気との攪拌性能を向上させるとともに、消火剤水溶液の粒子化を促進しつつ離脱した弁体に突き当たり、そこで側面方向に向きを変え、本体の吸気口から吸引した空気を巻き込んでデフレクターの周方向に均等間隔毎に多数形成されているところの、側面上方から底面にかけて縦方向に連続する細長のスリットに達し、該スリットを通過する際に起泡しつつ放射外方に向けて放射される。
【００１２】
なおこの場合において、消火剤水溶液が消火剤水溶液導入部の出口側部分のテーパ状に拡開された出口部分を通過する際に、そのテーパー部壁面との間に負圧を生じ、同時に吸気口から空気をより一層吸引して巻き込むことができるために、発泡性能が格段に向上する。  また椀状のデフレクター内側には、該デフレクターに対して一定の間隔を介し、中央部に円形の窓を形成したドーナツ状の反射板が同軸状に介在されているために、離脱した弁体に衝突した消火剤水溶液が反射板の下面に当たり、斜め上方への消火剤水溶液の飛散方向を水平方向に変える。
【００１３】
【発明の実施の形態】
以下において、本発明の具体的な内容を図１〜５にあらわした実施例に基づいて説明すると、１１はヘッド本体、２０は椀皿状のデフレクター、２７は弁体、２８は反射板をあらわす。  ヘッド本体１１は圧送される消火剤水溶液の供給管（図示省略）に取り付けられるところの消火剤水溶液導入部１２および該消火剤水溶液導入部１２の先端から水平外方向に放射状に延びる円形の水平部１３からなる。
【００１４】
しかも消火剤水溶液導入部１２は内部中空とし、この部分に流向調整ピースＰが嵌め込まれる。  すなわち流向調整ピースＰには、嵌め込まれた状態において消火剤水溶液導入部１２の入側から出側方向に向けて互いに求心方向に向けられたところの、流向調整用の複数の導入路１８が形成され、これによって流入した消火剤水溶液が消火剤水溶液導入部１２内において回転方向の屈曲を付与されるとともに、放出方向が求心方向へ変位して後記する吸気口１４からの吸気と混合し、発泡性をより一層向上させる。
【００１５】
なおヘッド本体１１に対する上記した流向調整用の複数の導入路１８の形成にあたっては、ヘッド本体１１を内部非中空とし、この内部部分に直接に上記した流向調整用の複数の導入路１８を形成することにより前記した流向調整ピースを不要とすることもできる。
【００１６】
さらに前記ヘッド本体１１における消火剤水溶液導入部１２の先端寄りには、混合室１５が形成され、しかも該混合室１５の側壁面１６は、上記した導入路１８の形成箇所に続く入側から出側にかけて一定の傾斜角度（図３の実施例においては２度）にてテーパー状に次第に拡開させている。
【００１７】
なおこの場合における混合室１５の拡開角度については、具体的には１度未満であると流入する消火剤水溶液に対する後記する吸気口１４からの空気の巻き込みがあまりみられず、また反対に４度を越えると流入した消火剤水溶液と導入部側壁面１６との間における負圧が起きなくなるので４度が限界となり、結局その拡開テーパー角度については１度〜４度の範囲内である必要がある。
【００１８】
また１４はヘッド本体１１の消火剤水溶液導入部１２の先端付近に、外側開口部を側面方向に向けて形成された吸気口をあらわし、また内側開口部を水平部１３の下方に向けて開口させており、周方向等間隔に複数箇所形成されている。
【００１９】
また椀皿状のデフレクター２０は底面中央部に保持部材２５を保持させる窓２２を有するとともに、ヘッド本体１１の水平部１３の端縁に形成された取り付けフランジ１３ａに取り付けられるようになっており、その側面上方から底面にかけて縦方向に連続する細長のスリット２１が周方向均等間隔毎に多数形成されている。  さらにデフレクター２０の底面中央部寄りの位置には発泡時におけるデフレクター内部の圧力上昇を緩和させる圧抜き口２３が窓２２の周縁に沿って周方向に複数形成されている。
【００２０】
さらに弁体２７は、デフレクター２０の窓２２に嵌め込んだ保持部材３０の上端縁に保持されるところの左右一対の保持部材２５・２５によって、弁座２６を介して支えられ、前記した混合室１５の開口部を常時閉塞している。  なお保持部材２５・２５は中間部に低融点合金２４を有し、火災発生時に発生した熱気流等により溶解して保持部材２５・２５が分解離脱し、弁体２７が図示しない供給管内の消火剤水溶液加圧圧力により押圧されて離脱落下する。  これにより消火剤水溶液導入部１２の出口、すなわち混合室１５の出口が開放されるとともに、弁座２６が前記した保持部材３０上に載るように構成されている。
【００２１】
さらに反射板２８は、図５にあらわしたように、中央部に円形の窓２９を有するドーナツ状をなし、該窓２９は前記した保持部材２５等の取り付けに際してこれらを貫通させることができ、しかも外周縁部を上方に立ち上がらせてフランジ２８ａを形成するとともに、該フランジ２８ａを、図１にみるようにデフレクター２０の開口縁部と水平部１３の取り付けフランジ１３ａとのねじ嵌合により、デフレクター２０の上端開口部付近に取り付けられる。
【００２２】
上記した構成において、泡放射区域内において火災が発生すると、その熱気流等により低融点合金２４が溶けて保持部材２５を含む保持部の全体が分解し、弁体２７が弁座２６と共に、消火剤水溶液導入部１２にかかる供給管内の消火剤水溶液加圧圧力により落下する。  消火剤水溶液は、ヘッド本体１１の消火剤水溶液導入部１２内に入り、導入路１８を通過して求心方向の勢力を付与されるとともに、落下した弁体２７の上面に突き当たる。
【００２３】
この際消火剤水溶液は、消火剤水溶液導入部１２の混合室１５内を通過する際に、そのテーパー状をなした側壁面１６との間に負圧を生じて、同時に吸気口１４から空気を吸引して巻き込み、巻き込んだ空気とともに落下した弁体２７の上面に衝突した後、側面方向に向きを変えてデフレクター２０の周方向に均等間隔毎に形成されているところの、側面上方から底面にかけて縦方向に連続するスリット２１に達し、該スリット２１を通過する際に起泡化されて放射外方に向けて放射される。
【００２４】
またこの場合において、弁体２７に衝突した消火剤水溶液がデフレクター２０の開口縁部に取り付けられたドーナツ状の反射板２８の下面に当たり、斜め上方への飛散方向が水平方向へと変えられる。
【００２５】
【発明の効果】
本発明は上記した通り、圧送される消火剤水溶液の供給管に取り付けられる消火剤水溶液導入部および該導入部先端から水平外方向に放射状に延びる円形の水平部からなるヘッド本体と、該ヘッド本体の水平部外周端縁に取り付けられる椀皿状のデフレクターと、該デフレクターの内側に、一定の間隔を介してこれと同軸状に介在されるところの、中央部に円形の窓を形成したドーナツ状の反射板と、該反射板の円形の窓を貫通して前記デフレクターとの間に低融点合金を介在させて消火剤水溶液導入部出口側開口部に圧接される弁体とからなり、前記ヘッド本体の消火剤水溶液導入部先端付近には周方向に複数の吸気口が形成されているとともに、デフレクターには側面上方から底面にかけて縦方向に連続する細長のスリットを周方向均等間隔毎に多数形成してなるものである。
【００２６】
従って泡ヘッドの水平以下の全方向均等な泡放射が可能となるにも拘わらずデフレクター部分の強度が増し、その結果油火災消火用泡ヘッド自体を閉鎖型の構成にすることが可能となり、泡ヘッドそのものが火災感知機能と泡放射機能との両機能を併せ持つことになり、従来の油火災消火用泡消火設備のように、泡ヘッドのほかに火災感知専用のスプリンクラーヘッドをはじめとした火災感知装置等を別途設ける必要がなくなり、また該火災感知装置により開放するところの一斉開放弁および該開放弁を手動にて開放するための手動起動弁をも設置する必要がなくなるところから、油火災消火用泡消火設備における構成の著しい簡素化をはかることができる。
【００２７】
また上記した泡ヘッドにおいて、ヘッド本体の消火剤水溶液導入部の入側から出側方向に向けて互いに求心方向に向けられた複数の導入路を形成した場合においては、消火剤水溶液の放射方向が強制的に求心方向に変えられることにより、空気との攪拌性能が向上するため、さらに求心方向へと流れ方向をが変えられた消火剤水溶液が通過する混合室を入側から出側にかけてテーパー状に次第に拡開させた場合においては、該水溶液が混合室内を通過する際に、そのテーパー壁面との間に負圧を生じ、同時に吸気口から空気を、より一層多く吸引して巻き込むことができるために、発泡効率が格段に向上する。
【００２８】
さらにデフレクターの底面中央部寄りの位置に、圧抜き口を周方向に複数形成するようにした場合においては、消火剤水溶液放射時のデフレクター内での発泡による圧力上昇を緩和することができるため、さらに発泡性能を向上させることができ、また椀状のデフレクターの開口縁部に、ドーナツ状の反射板が取り付けられている場合においては、弁体に衝突した消火剤水溶液が上記反射板の下面に当たり、斜め上方への飛散方向を水平方向に変えることができ、その結果水平以下の方向に対する放射効率を格段に向上させることができる。
【図面の簡単な説明】
【図１】本発明の一実施例である消火用泡ヘッドの半裁縦断面図。
【図２】図１の消火用泡ヘッドの拡大平面図。
【図３】図１の消火用泡ヘッドのヘッド本体を拡大してあらわした縦断面図。
【図４】図１の消火用泡ヘッドに用いられるデフレクターの拡大底面図。
【図５】デフレクターの上部開口部付近に取り付けられる反射板を拡大してあらわした平面図および断面図。
【図６】従来公知の消火用泡ヘッドの縦断面図。
【符号の説明】
１１          ヘッド本体
１２          消火剤水溶液導入部
１３          水平部
１３ａ        取り付けフランジ
１４          吸気口
１５          混合室
１６          側壁面
１７          流向調整ピース
１８          導入路
１９          屈曲部
２０          デフレクター
２１          スリット
２１ａ        保持壁
２２          窓
２３          バックプレッシャー口
２４          低融点合金
２５          保持部材
２６          弁座
２７          弁体
２８          反射板
２８ａ        フランジ
２９          窓
３０          保持部材
Ｐ            流向調整ピース
【図１】
0003705997.tif 000002
【図２】
0003705997.tif 000003
【図３】
0003705997.tif 000004
【図４】
0003705997.tif 000005
【図５】
0003705997.tif 000006
【図６】
0003705997.tif 000007